(57)【要約】      （修正有）【課題】粘着テープ転写具における使い初めの密着性を改善し、ストロークの短い転写における操作性を改善する。【解決手段】粘着材が塗布されたテープ１１を被粘着面に押し当てるローラー４と、一端が回転可能に支持され他端に自転可能な前記ローラーを配したスイングアーム３を備えたことを特徴とする粘着テープ転写具。【選択図】図４
0003137816.tif 000002
【実用新案登録請求の範囲】
【請求項１】
粘着材が塗布されたテープを被粘着面に押し当てるローラーを備え、前記ローラーに前記テープが掛けられて出来る前期テープの弧のなかで、前記ローラーが自転しながら、前記テープの送り方向に移動できるように構成されていることを特徴とする粘着テープ転写具。
【請求項２】
前記テープは自転可能であり、その中心と、前記ローラーの中心とを結んだ線の近傍に、前記ローラーの移動を可能にするスイングアームの回動中心があることを特徴とする粘着テープ転写具。
【請求項３】
前記ローラーは前記スイングアームに支持され、自転、公転が可能であることを特徴とする粘着テープ転写具。
【請求項４】
前記スイングアームには、スイングバネの一端が作用しており、常に、前記スイングアームを押し戻す方向に付勢していることを特徴とする粘着テープ転写具。
【請求項５】
前記スイングアームは回動範囲を規制され、扇状に往復回動運動をするように構成されたことを特徴とする粘着テープ転写具。
【考案の詳細な説明】
【技術分野】
【０００１】本考案は、粘着材が塗布されたロール状のテープを用い、粘着材を相手（たとえば封筒の蓋）に塗布するための、粘着テープ転写具に関するものである。
【背景技術】
【０００２】図１〜図５を参照して、従来の粘着テープ転写具の一例について説明する。粘着材が塗布されたテープ１１は送出リール７に巻かれている。また送出リール７と同軸に送出ギア９が、また巻取リール８と同軸に巻取ギア１０が配置されて、それぞれが噛みあっている。
テープ１１の一端は、ローラー４に掛けられた後、テープ巻き回の反対側に接触し、反対側に回って、さらに巻取リールに留められている。
送出リール７、送出ギア９、巻取リール７、巻取ギア１０は、ベース１とカバー２で構成される容器内に収納され、ローラー４とテープ１１の一部が露出している。容器を手で持ち、先端のローラー部分を紙等に押し当てて、手前にひくとテープ１１に塗布された粘着材を相手（紙等）に転写することが出来る。
粘着材が移行した後のテープは巻取リールに巻き取られて巻回される。
テープ１１によって送出ギア９が回され、噛み合っている巻取ギア１０も回される。それぞれのギアのギア比によって、巻取ギア１０で駆動される巻取リール８の周速は、送出リール７の周速より早い。それぞれの周速差をフリクションギア６でスリップさせて逃がしているので、テープ１１の弧（テープパス）はたるむことなく、巻取リールに巻回、収納される。
【考案の開示】
【考案が解決しようとする課題】
【０００３】ところで上記の従来例では、使用上二つの欠点がある。
そのひとつは、新たな使用に際して、ローラー４を相手に押し当てるとき、容器を寝かせないと、粘着材の端が相手に接触しない。図４を参照して説明する。
使い終わったとき、粘着材の端が点Ｐ２０にあったとすると、新しく使う時は容器を寝かせて（角度６０度を小さくして）押し付けないと、右側の太２点鎖線でしめす粘着材が残っている部分１１ａを引き出すことができない。
テープ１１は粘着材が離れて相手に転写されやすいように、滑りやすい材料（たとえばＰＥＴ）のため、粘着材が無い部分（点Ｐ２０より左側の細線で示す部分１１ｂ）を相手に押し付けても、表面でスリップするだけで、テープ１１は巻き取られない。
二つ目の欠点は、転写長が長くなることである。
ローラー４を相手に押し付けながら、容器を引く動作のために、例えばテープ１１の幅と同じ程度の長さで、真四角に転写しようとしても、それ以上に引いてしまうことが、普通である。必要以上の長さが転写されるために、不経済である。
【課題を解決するための手段】
【０００４】本考案は、前記の二つの欠点を、簡単な構造、構成で解決するものである。ローラー４がスイングアーム３によって、公転、自転可能に保持されるので、ローラー４がテープ１１の弧のなかで、テープ１１の送られる方向、またその反対方向に移動可能となる。
【考案の効果】
【０００５】図４、図６を参照して説明する。
使用中は、容器が押し付けられて、ローラー４が時計方向に回動し、細い２点鎖線で示した、状態Ｓ２である。容器本体を持ち上げて相手より離そうとすると、テープ１１の粘着材は点２０で切れ始め、同時にローラー４も反時計方向に回動を初め、完全に離れると同時にバネ５で付勢されたスイングアームは実線で示す状態Ｓ１まで戻る。
このとき、テープ１１の巻回から離れる点は、点ＨＰ２から点ＨＰ１まで移動する。図４においてこの移動距離は３．２である。テープ１１の弧は、状態Ｓ２に於いては、点ＨＰ２からローラー４を回って点ＴＰ２に至る。
状態Ｓ１に於いては、点ＨＰ１からローラー４を回って点ＴＰ１に至る。
上記二つの状態の弧の長さは同じである。
従って、状態Ｓ２からＳ１に移行する際に上記３．２の長さはローラー４を回り、粘着材の端の点はＰ２１からＰ２２まで移動する。
再度、ローラー４を相手に押し付けて、転写を始めるとき、容器本体は同じ角度（６０度）を保てば、粘着材は相手に密着することができる。
また、手前に引くことなく、ローラー４を相手に押し付けて、Ｓ１とＳ２の状態の間で軽く往復運動をさせれば、短い長さで粘着材を転写可能である。
【考案を実施するための最良の形態】
【０００６】図４、図６に一例を示す。動作原理は前記説明の通りであるが、テープ１１の逆転を防ぐために、ベース１には逆転防止爪１ｅが設けてある。
【実施例】
【０００７】図４、図６に同じ実施例を示す。
【産業状の利用可能性】
【０００８】以上の考案によれば、転写具の利用時、とくに利用開始時のミスを防ぐことができる。また、簡単、確実な操作で、短い転写も可能であり、無駄使いを防ぎ、経済性に優れる。
【図面の簡単な説明】
【０００９】
【図１】本考案の転写具の斜視図である。
【図２】図１のＹＹ断面図である。
【図３】図１のＸＸ断面図である。
【図４】本考案の実施形態を示す説明図である。
【図５】従来例の使い方を示す説明図である。
【図６】本考案の使い方を示す説明図である。
【符号の説明】
【００１０】  １  ベース  １ａ  軸部  １ｂ  穴部  １ｃ，１ｄ  ガイド部  １ｅ  逆転防止爪
２  カバー
３  スイングアーム  ３ａ  軸部  ３ｂ  ボス部
４  ローラー
５  スイングバネ
６  フリクションバネ
７  送出リール
８  巻取リール
９  送出ギア
１０  巻取ギア
１１  テープ  １１ａ  粘着材つきテープ  １１ｂ  粘着材無しテープ
ＨＰ１、ＨＰ２，ＴＰ１，ＴＰ２，Ｐ２０，Ｐ２１、Ｐ２２  点
Ｓ１，Ｓ２  状態
【図１】
0003137816.tif 000003
【図２】
0003137816.tif 000004
【図３】
0003137816.tif 000005
【図４】
0003137816.tif 000006
【図５】
0003137816.tif 000007
【図６】
0003137816.tif 000008
【手続補正書】
【提出日】平成19年7月15日(2007.7.15)
【手続補正１】
【補正対象書類名】実用新案登録請求の範囲
【補正対象項目名】全文
【補正方法】変更
【補正の内容】
【実用新案登録請求の範囲】
【請求項１】
粘着材が塗布されたテープを被粘着面に押し当てるローラーを備え、前記ローラーに前記テープが掛けられて出来る前期テープの弧のなかで、前記ローラーが自転しながら、前記テープの送り方向にテープに沿いながら扇回移動できるように構成されていることを特徴とする粘着テープ転写具。
【請求項２】
前記テープは自転可能であり、その中心と、前記ローラーの中心とを結んだ線の近傍に、前記ローラーの移動を可能にするスイングアームの回動中心があることを特徴とする粘着テープ転写具。
【請求項３】
前記ローラーは前記スイングアームに支持され、自転、公転が可能であることを特徴とする粘着テープ転写具。
【請求項４】
前記スイングアームには、スイングバネの一端が作用しており、常に、前記スイングアームを一定方向に付勢していることを特徴とする粘着テープ転写具。
【請求項５】
前記スイングアームは回動範囲を規制され、扇状に往復回動運動をするように構成されたことを特徴とする粘着テープ転写具。
【手続補正２】
【補正対象書類名】明細書
【補正対象項目名】全文
【補正方法】変更
【補正の内容】
【考案の詳細な説明】
【技術分野】
【０００１】本考案は、粘着材が塗布されたロール状のテープを用い、粘着材を相手（たとえば封筒の蓋）に塗布するための、粘着テープ転写具に関するものである。
【背景技術】
【０００２】図１〜図５を参照して、従来の粘着テープ転写具の一例について説明する。粘着材が塗布されたテープ１１は送出リール７に巻かれている。また送出リール７と同軸に送出ギア９が、また巻取リール８と同軸に巻取ギア１０が配置されて、それぞれが噛みあっている。
テープ１１の一端は、ローラー４に掛けられた後、テープ巻き回の反対側に接触し、反対側に回って、さらに巻取リールに留められている。
送出リール７、送出ギア９、巻取リール７、巻取ギア１０は、ベース１とカバー２で構成される容器内に収納され、ローラー４とテープ１１の一部が露出している。容器を手で持ち、先端のローラー部分を紙等に押し当てて、手前にひくとテープ１１に塗布された粘着材を相手（紙等）に転写することが出来る。
粘着材が移行した後のテープは巻取リールに巻き取られて巻回される。
テープ１１によって送出ギア９が回され、噛み合っている巻取ギア１０も回される。それぞれのギアのギア比によって、巻取ギア１０で駆動される巻取リール８の周速は、送出リール７の周速より早い。それぞれの周速差をフリクションバネ６でスリップさせて逃がしているので、テープ１１の弧（テープパス）はたるむことなく、巻取リールに巻回、収納される。
【考案の開示】
【考案が解決しようとする課題】
【０００３】ところで上記の従来例では、使用上二つの欠点がある。
そのひとつは、新たな使用に際して、ローラー４を相手に押し当てるとき、容器を寝かせないと、粘着材の端が相手に接触しない。図４を参照して説明する。
使い終わったとき、粘着材の端が点Ｐ２０にあったとすると、新しく使う時は容器を寝かせて（角度６０度を小さくして）押し付けないと、右側の太２点鎖線でしめす粘着材が残っている部分１１ａを引き出すことができない。
テープ１１は粘着材が離れて相手に転写されやすいように、滑りやすい材料（たとえばＰＥＴ）のため、粘着材が無い部分（点Ｐ２０より左側の細線で示す部分１１ｂ）を相手に押し付けても、表面でスリップするだけで、テープ１１は巻き取られない。
従って粘着材の端を正確に位置決め出来ないので、切手のような小さいものに転写し難い。
二つ目の欠点は、転写長が長くなることである。
ローラー４を相手に押し付けながら、容器を引く動作のために、例えばテープ１１の幅と同じ程度の長さで、真四角に転写しようとしても、それ以上に引いてしまうことが、往々である。必要以上の長さが転写されるために、不経済である。
【課題を解決するための手段】
【０００４】本考案は、前記の二つの欠点を、簡単な構造、構成で解決するものである。ローラー４がスイングアーム３によって、公転、自転可能に保持されるので、ローラー４がテープ１１の弧のなかで、テープ１１の送られる方向、またその反対方向に移動可能となる。
【考案の効果】
【０００５】図４、図５、図６、図７を参照して説明する。
使用中は、容器が押し付けられて、ローラー４が時計方向に回動し、細い２点鎖線で示した、状態Ｓ２である。テープを切る時は図７に示す通り矢印Ｖ方向に振り払うようにして容器を持ち上げる。図４に示す通りテープ１１の粘着材は点２０で切れ始め、同時にローラー４も反時計方向に回動を初め、完全に離れると同時にバネ５で付勢されたスイングアームは実線で示す状態Ｓ１まで戻る。
このとき、テープ１１の巻回から離れる点は、点ＨＰ２から点ＨＰ１まで移動する。図４においてこの移動距離は３．２である。テープ１１の弧は、状態Ｓ２に於いては、点ＨＰ２からローラー４を回って点ＴＰ２に至る。
状態Ｓ１に於いては、点ＨＰ１からローラー４を回って点ＴＰ１に至る。
上記二つの状態の弧の長さは同じである。
従って、状態Ｓ２からＳ１に移行する際に上記３．２の長さはローラー４を回り、粘着材の端の点はＰ２１からＰ２２まで移動する。
再度、ローラー４を相手に押し付けて、転写を始めるとき、容器本体は同じ角度（６０度）あるいは容器をたてた大きい角度でも、粘着材は相手に密着することができる。
図５に示す通り、Ｓ１の状態で、容器を寝かせることなく相手に押し付けることが出来るので粘着材の端を正確に決めることが出来る。またその状態で手前に力を加えてローラー４をＳ１からＳ２まで扇回させると、容器を同じ姿勢で押し付けながら手前に引くことなく、前記３．２の長さを転写可能である。
【考案を実施するための最良の形態】
【０００６】図２、図３、図４に本考案の一例を示す。動作原理は前記説明の通りであるが、テープ１１の逆転を防ぐために、ベース１には逆転防止爪１ｅが設けてある。
【実施例】
【０００７】図２、図３、図４に本考案の一実施例を示す。［０００５］［０００６］に於いて説明した通りの構成である。
【産業状の利用可能性】
【０００８】以上の考案によれば、転写具の利用時、とくに利用開始時のミスを防ぐことができる。また、簡単、確実な操作で、短い転写も可能であり、無駄使いを防ぎ、経済性に優れる。
【図面の簡単な説明】
【０００９】
【図１】本考案の転写具の斜視図である。
【図２】図１のＹＹ断面図である。
【図３】図１のＸＸ断面図である。
【図４】本考案の実施形態を示す説明図である。
【図５】従来例の使い方を示す説明図である。
【図６】本考案の使い方を示す説明図である。
【図７】本考案の使い終わりの状態を示す説明図である。
【符号の説明】
【００１０】１  ベース  １ａ  軸部  １ｂ  穴部  １ｃ，１ｄ  ガイド部  １ｅ  逆転防止爪
２  カバー
３  スイングアーム  ３ａ  軸部  ３ｂ  ボス部
４  ローラー
５  スイングバネ
６  フリクションバネ
７  送出リール
８  巻取リール
９  送出ギア
１０  巻取ギア
１１  テープ  １１ａ  粘着材つきテープ  １１ｂ  粘着材無しテープ
ＨＰ１、ＨＰ２，ＴＰ１，ＴＰ２，Ｐ２０，Ｐ２１、Ｐ２２  点
Ｓ１，Ｓ２  状態
Ｖ  方向
【手続補正３】
【補正対象書類名】図面
【補正対象項目名】図７
【補正方法】追加
【補正の内容】
【図７】
0003137816.tif 000009
【手続補正書】
【提出日】平成19年9月10日(2007.9.10)
【手続補正１】
【補正対象書類名】実用新案登録請求の範囲
【補正対象項目名】全文
【補正方法】変更
【補正の内容】
【実用新案登録請求の範囲】
【請求項１】
粘着材が塗布されたテープを被粘着面に押し当てるローラーと、一端が回動可能に支持され他端に自転可能な前記ローラーを配したスイングアームを備えたことを特徴とする粘着テープ転写具。
【請求項２】
前記スイングアームは、前記テープの送り方向と逆の方向にスイングバネで付勢されていることを特徴とする、請求項１記載の粘着テープ転写具。
【請求項３】
前記スイングアームに支持された前記ローラーは、前記テープが巻回されてできる弧のなかで前記テープに接触しながら、前記テープの送り方向の端部位置と反送り方向の端部位置の間で往復扇回移動可能であることを特徴とする、請求項１記載の粘着テープ転写具。